(57)【要約】 【課題】カッター機構部を備えた袋結束機における安全装置の耐久性と信頼性の向上を図る。 【解決手段】使用位置と退避位置とに回動して切換えるカッター機構部を備えた袋結束機において、カッター機構部24を搭載したテーブル部22にホールIC 33を配置し、カッター機構部の着脱自在な上面カバー26に、退避位置においてホールIC 33に対向する第１の磁石34と、使用位置においてホールIC 33に対向する第２の磁石35を設ける。結束作業時に袋の挿入を検知してモータを起動させる起動スイッチと、上記のホールICとでAND回路を構成する。カッター機構部が使用位置と退避位置のいずれかに固定されていないとき、またはカッター機構部から上面カバーが取外されたときは、ホールICがオフし、起動スイッチがオンしてもモータは起動せず、不慮の事故を防止できる。【選択図】図1
2006143273.tif 000002
【特許請求の範囲】
【請求項１】
包装袋の袋口或いは袋首部を結束部材で結束する結束機構部と、
上記結束した包装袋の余剰部分を切断するカッター機構部と、
起動スイッチの操作によって上記結束機構部と上記カッター機構部とを駆動する駆動モータとを備えるとともに、
上記カッター機構部が使用位置と退避位置とに回動して其々の位置で固定可能に設けられている袋結束機において、
上記カッター機構部を搭載したテーブル部に設けられた磁気感応型スイッチと、
上記カッター機構部を被覆して該カッター機構部とともに上記回動する着脱自在な上面カバーと、
上記上面カバーに設けられて上記退避位置で上記磁気感応型スイッチに対向する第１の磁石と、
上記上面カバーに設けられて上記使用位置で上記磁気感応型スイッチに対向する第２の磁石と、
上記磁気感応型スイッチと上記起動スイッチとの双方が作動することで上記駆動モータを起動する起動制御回路または起動制御手段を有することを特徴とする袋結束機。
【発明の詳細な説明】
【技術分野】
【０００１】
この発明は、袋結束機に関するものであり、特に、耐久性の向上を図った安全装置を備える袋結束機に関するものである。
【背景技術】
【０００２】
例えば青果やパンなどの食料品は、ビニール袋やネット袋に入れて袋口や袋首部を結束した小分け包装形態で販売されることが多い。この種の袋結束機には、結束材として接着テープを用いるものや、金属クリップを用いるもの、プラスチック製の結束具を用いるものなどがあり、食料品の性質に応じて使い分けられている。また、結束するだけでなく、結束した袋口の余剰部分を切断して見栄えよく仕上げる機能を備えたものもある。
【０００３】
例えば、特許文献１記載の袋結束機は、結束機構としてプラスチック製の門型結束具を袋の口へ掛け、結束具の一対の脚部を重ね合わせて圧着することにより袋を結束する結束機構部を備えており、結束時に結束具装着部位から所定の長さで余剰部分の袋口部分を切断するカッター機構部も備えている。
【０００４】
図5及び図6はカッター機構部を備えた袋結束機の平面図であり、袋結束機1のテーブル部2の下には、袋を結束する結束機構部3が配置されている。テーブル部2の手前側（図において下側）の側面には案内溝4が設けられていて、作業者が袋の口部分を掴んで案内溝4の奥へ挿入すると、ゲートレバー5が押されて起動スイッチ（図示せず）がオンし、結束機構部3が起動して袋の口に結束具が装着される。
【０００５】
カッター機構部6は結束機構部3よりも奥側（図において上側）に配置されていて、水平方向へ回動自在であり、内部にカッター刃を往復駆動するクランク機構とカッター刃を備えている。カッター機構部6は、図5の退避位置と図6の使用位置とに回動することができ、袋の余剰部分を切断する必要がなければ退避位置に固定し、袋の余剰部分を切断する場合は、退避位置から手前側の使用位置へ回動して、前部の案内溝7をテーブル部2の案内溝4と合致させて固定する。これにより、袋の口部分を案内溝4, 7の奥へ挿入すると、結束機構部3により袋の口に結束具が装着されるとともに、カッター機構部6内のカッターが前進駆動されて、結束具装着部位から所定の高さの位置で袋の上部余剰部分が切断される。その際、図示しない圧着カシメ機構によって、結束具の一対の脚部を重ね合わせて圧着カシメを行うことで、一連の結束動作が完了する。
【０００６】
尚、カッター機構部6には、安全のため、退避位置と使用位置とに固定するロック機構と、退避位置または使用位置に固定していない場合、及び上面カバーを取外したときには、駆動モータが起動しない安全スイッチ機構が備えられている。図7はカッター機構部6の上面カバー8を取外した状態を示し、図8はカッター機構部6のアーム部9を示し、アーム部9のカッターホルダ10にカッター刃11が装填されている。
【０００７】
アーム部9の側面には上下に回動できるロックレバー12が設けられていて、図7に示すように、袋結束機1のテーブル部2には、カッター機構部6の退避位置と使用位置とでロックレバー12の前部が嵌合するスリット13, 14が形成されている。ロックレバー12の後端のタブ部12aを押下げて前部を上昇させ、前部とスリット13またはスリット 14との係合を解除すれば、カッター機構部6を水平方向へ回動することができ、退避位置または使用位置でロックレバー12をスリット13またはスリット14へ嵌合させると、カッター機構部6はその位置で固定される。
【０００８】
図8に示すように、カッター機構部6のアーム部9には、ロックレバー12の後端部によりオン・オフされるマイクロスイッチ15と、上面カバー8を装着することにより上面カバー8に押されてオンするマイクロスイッチ16が設けられていて、この二つのマイクロスイッチ15, 16は、図7に示すようにリード線wによって制御基板（図示せず）に接続され、起動スイッチとともに３入力のAND回路を構成している。
【０００９】
したがって、カッター刃交換の際にカッター機構部6から上面カバー8を取外すと、ロックレバー12の回動支点側のマイクロスイッチ16がオフすることにより、誤って起動スイッチ（図示せず）がオンしても、結束機構部3及びカッター機構部6を駆動するモータが起動することがない。また、カッター機構部6が退避位置または使用位置に固定されていない場合は、ロックレバー12の先端部がテーブル部2上に上昇していることから、アーム部9の中間部に取付けたマイクロスイッチ15は、ロックレバー10の後端部による押圧を解除されてオフしており、起動スイッチがオンしてもモータが起動することがない。
【００１０】
このようにして、カッター機構部6に上面カバー8が正しく装着されており、且つ、カッター機構部6が退避位置または使用位置に固定されていなければ、起動スイッチがオンしてもモータが起動しないようにして、誤操作による事故を防止している。
【特許文献１】特開平2001-130515号公報（段落番号0009、0010）
【発明の開示】
【発明が解決しようとする課題】
【００１１】
従来の袋結束機の安全装置は、カッター機構部に上面カバーが装着されていることを検出するマイクロスイッチと、カッター機構部が退避位置または使用位置に固定されていることを検出するマイクロスイッチとをカッター機構部に設けた構成であり、これらのマイクロスイッチは、主フレーム内の回路基板へビニール線などのリード線によって接続されている。
【００１２】
したがって、カッター機構部を回動させて退避位置または使用位置に切換える際にリード線が捩られるので、長期的にはリード線が断線する可能性がある。また、上面カバーを取外してカッター刃を交換する際に、誤ってリード線に触れて断線してしまうことも起こりうる。そこで、安全装置としての耐久性を改善して故障の虞を低減するために解決すべき技術的課題が生じてくるのであり、本発明は上記課題を解決することを目的とする。
【課題を解決するための手段】
【００１３】
この発明は、上記目的を達成するために提案するものであり、包装袋の袋口或いは袋首部を結束部材で結束する結束機構部と、上記結束した包装袋の余剰部分を切断するカッター機構部と、起動スイッチの操作によって上記結束機構部と上記カッター機構部とを駆動する駆動モータとを備えるとともに、上記カッター機構部が使用位置と退避位置とに回動して其々の位置で固定可能に設けられている袋結束機において、上記カッター機構部を搭載したテーブル部に設けられた磁気感応型スイッチと、上記カッター機構部を被覆して該カッター機構部とともに上記回動する着脱自在な上面カバーと、上記上面カバーに設けられて上記退避位置で上記磁気感応型スイッチに対向する第１の磁石と、上記上面カバーに設けられて上記使用位置で上記磁気感応型スイッチに対向する第２の磁石と、上記磁気感応型スイッチと上記起動スイッチとの双方が作動することで上記駆動モータを起動する起動制御回路または起動制御手段を有することを特徴とする袋結束機を提供するものである。
【発明の効果】
【００１４】
本発明の袋結束機は、使用位置と退避位置とに回動して其々の位置で固定可能なカッター機構部の着脱自在な上面カバーに設けた第１と第２の磁石と、袋結束機本体側に設けたホールICなどの磁気感応型スイッチとにより、カッター機構部の位置状態を検出して駆動モータの起動を制御する安全装置を構成したので、カッター機構部に搭載したマイクロスイッチと本体側の回路とをリード線にて接続した従来の袋結束機の構成とは異なり、カッター機構部を退避位置と使用位置とに切換えることによる配線の断線の虞が解消され、耐久性と信頼性が向上する。また、カッター機構部に配線がないので、カッター刃の交換などのメンテナンス時の作業性も良い。
【００１５】
また、一個の磁気感応型スイッチでカッター機構部の位置検出と上面カバーの装着検出ができるので、カッター機構部の位置検出と上面カバーの装着検出とにそれぞれマイクロスイッチを用いた従来構成の安全装置より部品点数が減少してコストも低下する。
【発明を実施するための最良の形態】
【００１６】
この発明は、結束した包装袋の余剰部分を切断するカッター機構部を、使用位置と退避位置とに回動して其々の位置で固定可能な袋結束機において、上記カッター機構部を搭載したテーブル部に設けられた磁気感応型スイッチと、上記カッター機構部を被覆して該カッター機構部とともに上記回動する着脱自在な上面カバーに設けられて、カッター機構部を退避位置に固定したときに磁気感応型スイッチに対向する第１の磁石と、カッター機構部を使用位置に固定したときに磁気感応型スイッチに対向する第２の磁石と、上記磁気感応型スイッチと上記起動スイッチの双方が作動することで上記駆動モータを起動する起動制御回路または起動制御手段を備えることにより、マイクロスイッチをカッター機構部に設けた従来の構成におけるマイクロスイッチと回路基板を接続するリード線の断線の虞を解消するという目的を達成した。
【実施例１】
【００１７】
図1は、袋結束機21を示し、全体的形状や機構部の基本構成は、図5乃至図8に示した従来機と同一であり、テーブル部22の左右中央（図において上下中間）に結束機構部23が配置され、その側方にカッター機構部24が配置されていて、作業者は、図において袋結束機21の奥側の側面に対向して立ち、袋の口をテーブル部22の側面の案内溝25へ挿入して結束を行うように構成されている。
【００１８】
図1は、カッター機構部21から上面カバー26を取外した状態を示しており、上面カバー26を上方へ持ち上げて取外してアーム部27を露出させた状態でカッター刃28の交換やその他のメンテナンスを行う。アーム部27は、駆動モータ及び減速ギヤによって回転されるクランク軸29を回動支点として水平方向へ回動できるとともに、カッター刃28をスライド自在に保持するカッターホルダ30が設けられており、カッターホルダ30に装着されたカッター刃28はリンクアーム31を介してクランク軸29のクランクピン29aへ連結されていて、クランク軸29が回転することによりカッター刃28はカッターホルダ30内を前後に往復運動する。クランク軸29及びカッター刃28は結束機構部23の動きと連動し、結束具圧着工程に続いてクランク軸29が一回転してカッター刃28が前進及び後退の一往復し、袋の結束部位から所定の高さで袋を切断する。
【００１９】
テーブル部22のクランク軸近傍位置には長円形の穴32が開口しており、この穴32内に磁気感応型スイッチとしてのホールIC 33が配置されていて、ホールIC 33は制御回路へ接続されて起動スイッチ（図示せず）とともに２入力のAND回路を構成している。
【００２０】
図2に示すように、上面カバー26内の後部には第１の磁石34、第２の磁石35が埋め込まれており、二個の磁石34, 35は、カッター機構部24を退避位置へ固定したときと使用位置へ固定したときにテーブル部22のホールIC 33の直上に位置するように、クランク軸29を仮想中心とした円周上に間隔を開けて配置されている。
【００２１】
図3は、上面カバー26を装着したカッター機構部24を退避位置へ固定した状態を示し、このとき上面カバー26の側面側にある第１の磁石34がホールIC 33の真上に位置する。図4は、上面カバー26を装着したカッター機構部24を使用位置へ移動して固定した状態を示し、このときは、上面カバー26の後部側にある第２の磁石35がホールIC 33の真上に位置する。これらの二つの状態においては、ホールIC 33の真上に第１の磁石34または第２の磁石35があることから、ホールIC 33の出力はオン(Low)となり、起動スイッチがオンしたときに駆動モータが起動して1サイクルの結束動作が実行され、カッター機構部を使用位置に固定している場合は、結束動作に続くカッター刃の往復駆動によって袋の切断が行われる。カッター機構部を退避位置に固定している場合は、結束動作に続いてカッター刃の往復駆動がなされるが、カッター機構部が袋の結束部位から退避している為、袋の切断がなされない。
【００２２】
一方、カッター機構部24が退避位置または使用位置に固定されていない場合は、ホールIC 33の真上から第１の磁石34または第２の磁石35が外れてホールIC 33の出力はオフ(High)となり、起動スイッチがオンしてもモータは起動しない。また、カッター機構部24を退避位置または使用位置に固定した場合であっても、図1に示すように、上面カバー26を取外すとホールIC 33から第１の磁石34または第２の磁石35が離れることにより、ホールIC 33の出力はオフ(High)となり、起動スイッチがオンしてもモータは起動しない。
【００２３】
以上は、磁気感応型スイッチとしてホールICを用いた実施形態を述べたが、ホールICのほかにホール素子や磁気抵抗素子などの磁電変換素子、或いはリードスイッチなどを用いてもよいが、ノイズの影響による検出精度の低下や、制御回路側の回路構成の複雑化を避けるためには、１パッケージのホールICを用いるほうが有利である。尚、この発明は上記の実施形態に限定するものではなく、この発明の技術的範囲内において種々の改変が可能であり、この発明がそれらの改変されたものに及ぶことは当然である。
【図面の簡単な説明】
【００２４】
【図１】本発明の一実施形態を示し、袋結束機の前部の斜視図。
【図２】図1に示す上面カバーの底面斜視図。
【図３】袋結束機のカッター機構部を退避位置へ固定した状態の平面図。
【図４】袋結束機のカッター機構部を使用位置へ固定した状態の平面図。
【図５】従来例を示し、袋結束機のカッター機構部を退避位置へ固定した状態の平面図。
【図６】従来例を示し、袋結束機のカッター機構部を使用位置へ固定した状態の平面図。
【図７】従来例を示し、袋結束機の前部の斜視図。
【図８】従来例を示し、上面カバーを取外したカッター機構部の斜視図。
【符号の説明】
【００２５】
21     袋結束機
22     テーブル部
23     結束機構部
24     カッター機構部
25     案内溝
26     上面カバー
27     アーム部
28     カッター刃
29     クランク軸
30     カッターホルダ
31     リンクアーム
33     ホールIC
34     第１の磁石
35     第２の磁石
【図１】
2006143273.tif 000003
【図２】
2006143273.tif 000004
【図３】
2006143273.tif 000005
【図４】
2006143273.tif 000006
【図５】
2006143273.tif 000007
【図６】
2006143273.tif 000008
【図７】
2006143273.tif 000009
【図８】
2006143273.tif 000010